(57)【要約】【課題】運動しやすく、かつ、運動しても脚部が露出しない和服を提供する。また、和服を掛けるのに適した和服用ハンガーを提供する。【解決手段】和服１０は、左縁部３１が左の衽１３の衿１５の下端より下部に接続され、右縁部３２が右の衽１３の衿１５の下端より下部に接続された布を備えた。また、布は、左の衽１３と右の衽１３のいずれか一方又は双方と着脱自在である。また、布は、衽１３を形成する布よりも薄く形成されている。また、布は、衽１３を形成する布よりも伸縮性が高く形成されている。また、布は、網目状の生地から形成されている。和服用ハンガーは、折り曲げられた状態を維持することができる芯材と、芯材を被覆する可撓性を有する被覆部材とを有し、和服の左右の袖に通されて左右の袖が折り畳まれた状態を維持する長尺状のロッドと、ロッドに接続されたフックと、を備えている。【選択図】図４
2013231253.tif 000002
【特許請求の範囲】
【請求項１】
左縁部が左の衽の衿の下端より下部に接続され、右縁部が右の衽の衿の下端より下部に接続された布を備えたことを特徴とする和服。
【請求項２】
前記布は、前記左の衽と前記右の衽のいずれか一方又は双方と着脱自在であることを特徴とする請求項１に記載の和服。
【請求項３】
前記布は、前記衽を形成する布よりも薄いことを特徴とする請求項１又は２に記載の和服。
【請求項４】
前記布は、前記衽を形成する布よりも伸縮性に富むことを特徴とする請求項１乃至３のいずれか１項に記載の和服。
【請求項５】
前記布は、網目状の生地から形成されていることを特徴とする請求項１乃至４のいずれか１項に記載の和服。
【請求項６】
任意の場所で折り曲げられ、折り曲げられた状態を維持することができる芯材と、前記芯材を被覆する可撓性を有する被覆部材とを有し、和服の左右の袖に通されて前記左右の袖が折り畳まれた状態を維持する長尺状のロッドと、
前記ロッドに接続されたフックと、
を備えることを特徴とする和服用ハンガー。
【発明の詳細な説明】
【技術分野】
【０００１】
本発明は、和服及び和服用ハンガーに関する。
【背景技術】
【０００２】
着崩れを防止するため、左右の前身頃を係合具で固定する和服が知られている。例えば、左右いずれか一方の前身頃の胴回り近傍の表面と、他方の前身頃の胴回り近傍の裏面に、面ファスナが配設された和服が知られている（例えば、特許文献１参照）。
【先行技術文献】
【特許文献】
【０００３】
【特許文献１】特開平１０−２８０２０５号公報
【発明の概要】
【発明が解決しようとする課題】
【０００４】
特許文献１記載の和服では、胴周りの着崩れを防止できる。しかし、固定されているのは胴回りだけであるので、着用者が自転車の運転などの運動をすると、脚部が露出する場合がある。脚部の露出を防ぐために、裾の近傍にも面ファスナを配設すればよいが、それでは運動しにくくなる。
【０００５】
本発明は、このような実情に鑑みてなされたものであり、運動しやすく、かつ、運動しても脚部が露出しない和服を提供することを目的とする。また、本発明は、和服を掛けるのに適した和服用ハンガーを提供することを目的とする。
【課題を解決するための手段】
【０００６】
上記目的を達成するため、本発明の第１の観点に係る和服は、
左縁部が左の衽の衿の下端より下部に接続され、右縁部が右の衽の衿の下端より下部に接続された布を備えたことを特徴とする。
【０００７】
前記布は、前記左の衽と前記右の衽のいずれか一方又は双方と着脱自在であってもよい。
【０００８】
前記布は、前記衽を形成する布よりも薄くてもよい。
【０００９】
前記布は、前記衽を形成する布よりも伸縮性に富んでいてもよい。
【００１０】
前記布は、網目状の生地から形成されていてもよい。
【００１１】
上記目的を達成するため、本発明の第２の観点に係る和服用ハンガーは、
任意の場所で折り曲げられ、折り曲げられた状態を維持することができる芯材と、前記芯材を被覆する可撓性を有する被覆部材とを有し、和服の左右の袖に通されて前記左右の袖が折り畳まれた状態を維持する長尺状のロッドと、
前記ロッドに接続されたフックと、
を備えることを特徴とする。
【発明の効果】
【００１２】
本発明によれば、運動しやすく、かつ、運動しても脚部が露出しない和服を提供することができる。また、本発明によれば、和服を掛けるのに適した和服用ハンガーを提供することができる。
【図面の簡単な説明】
【００１３】
【図１】（ａ）は、本発明の第１の実施形態に係る和服の正面図であり、（ｂ）は、その背面図である。
【図２】（ａ）は、本発明の第１の実施形態に係る和服の平面図であり、（ｂ）は、その底面図である。
【図３】（ａ）は、本発明の第１の実施形態に係る和服の左側面図であり、（ｂ）は、その右側面図である。
【図４】（ａ）は、本発明の第１の実施形態に係る和服の前方を開いた状態の正面図であり、（ｂ）は、その平面図である。
【図５】本発明の第１の実施形態に係る和服の左前方を開いた状態の正面図である。
【図６】本発明の第１の実施形態に係る和服の着用者が、自転車に跨った状態を示す図である。
【図７】（ａ）は、本発明の第２の実施形態に係る和服の、図４（ａ）のＡ部拡大図であり、（ｂ）は、本発明の第３の実施形態に係る和服の、図４（ａ）のＡ部拡大図である。
【図８】（ａ）は、本発明の第６の実施形態に係るハンガーの詳細を説明するための図であり、（ｂ）は、その正面図であり、（ｃ）は、その平面図であり、（ｄ）は、その底面図であり、（ｅ）は、その左側面図であり、（ｆ）は、その右側面図であり、（ｇ）は、（ａ）のＢ−Ｂ断面図である。
【図９】（ａ）は、本発明の第６の実施形態に係るハンガーの斜視図であり、（ｂ）乃至（ｄ）は、ロッド部を屈曲させた状態の使用状態参考図であり、（ｅ）は、ハンガーに和服を掛けて、ロッド部を図９（ｄ）のように屈曲させたときの状態を示す使用状態参考図である。
【発明を実施するための形態】
【００１４】
この発明の実施の形態について、図面を参照して詳細に説明する。
【００１５】
（第１の実施形態）
まず、この発明の第１の実施形態について説明する。
図１乃至図６に示すように、本発明の実施の形態に係る和服１０は、例えば浴衣ように、単純な構造で形成された和服である。尚、以下の説明において、和服１０を着用したときにおける着用者の右側及び左側を、「右」及び「左」と定義する。また、和服１０を着用したときにおける着用者の頭部側及び脚部側を、「上」及び「下」と定義する。
【００１６】
図１乃至図６に示すように、和服１０は、左右の袖１１、１１と、左右の前身頃１２、１２と、左右の衽（おくみ）１３、１３と、後見頃１４と、衿１５と、着崩れ防止布３０と、を備え、ミシン又は手縫いにより縫製されている。衽１３のうち衿１５の下端より下の部分には、衿下１３ａが形成されている。和服１０の上述した各部位は、同一の生地、例えば木綿で形成されている。
【００１７】
着崩れ防止布３０は、着崩れをしても着用者の脚部が露出しないようにするための布である。図４（ａ）に示すように、着崩れ防止布３０は、略長方形に形成され、例えば、左右方向の長さが４８ｃｍ、上下方向の長さが６０ｃｍに形成されている。
【００１８】
図４（ａ）に示すように、着崩れ防止布３０は、その下端が衽１３の下端から上方に所定の距離、例えば数ｃｍの離れた位置に位置するように配設されている。着崩れ防止布３０の左縁部３１は、左の衿下１３ａの裏側に縫いつけられ、右縁部３２は、右の衿下１３ａの裏側に縫いつけられている。
【００１９】
使用者は、以上のように構成された和服１０を、着崩れ防止布３０が脚部の前に位置するように羽織り、帯などで胴回りを締め付けて着用する。
【００２０】
これにより、図６に示すように、和服１０の着用者が自転車に乗って、和服１０が着崩れした場合であっても、着用者の脚部は、着崩れ防止布３０に覆われて露出しない。
【００２１】
以上説明したとおり、本実施形態に係る和服１０は、左縁部３１及び右縁部３２が、それぞれ左右の衿下１３ａに接続されている着崩れ防止布３０を備えている。そのため、着崩れしても、着用者の脚部が露出しない。また、着崩れ防止布３０は、木綿などで形成されているので、着用者の運動を妨げない。
【００２２】
また、着崩れ防止布３０は、その下端が衽１３の下端から上方に所定の距離離れた位置に位置するように配設されているので、着用者の足先に引っかかりにくい。
【００２３】
尚、本実施形態では、着崩れ防止布３０は、衽１３などを形成している生地と同一の生地、例えば、木綿で形成されていたが、これに限定されるものではない。例えば、着崩れ防止布３０は、衽１３などを形成している生地とは異なる生地、例えば、ポリエステル、レーヨン、ウールなどから形成されていてもよい。また、着崩れ防止布３０は、衽１３などを形成している生地よりも薄い生地で形成されていてもよく、また、衽１３などを形成している生地よりも柔らかい生地で形成されていてもよい。
【００２４】
また、本実施形態では、着崩れ防止布３０の左縁部３１は、左の衿下１３ａの裏側に縫いつけられ、右縁部３２は、右の衿下１３ａの裏側に縫いつけられていたが、これに限定されるものではない。着崩れ防止布３０の左縁部３１と右縁部３２は、左右それぞれの、衽１３と前身頃１２とが縫い着けられている部分に縫いつけられていてもよい。
【００２５】
（第２の実施形態）
次に、この発明の第２の実施形態について説明する。本実施形態の和服１０の基本的な構成は、第１の実施形態と同様である。本実施形態では、着崩れ防止布３０の左縁部３１が、衿下１３ａに着脱可能に構成されている点が上記第１の実施形態とは異なる。尚、第１の実施形態の和服１０と共通する構成については、特に説明する場合を除き、同一又は対応する符号を付すなどしてその説明を省略する。
【００２６】
図７（ａ）に示すように、着崩れ防止布３０の左縁部３１と左の衿下１３ａの裏側には、一対のテープからなるスライドファスナ４１、４２が配設されている。和服１０の着用者は、スライドファスナ４１、４２を着脱することによって、着崩れ防止布３０の左縁部３１を、左の衿下１３ａに取り付け、又は左の衿下１３ａから取り外すことができる。
【００２７】
以上説明したとおり、本実施形態に係る和服１０は、着崩れ防止布３０の左縁部３１が左の衿下１３ａに着脱可能に構成されている。これにより、使用者は、和服１０を容易に着衣及び脱衣することができる。
【００２８】
（第３の実施形態）
次に、この発明の第３の実施形態について説明する。本実施形態の和服１０の基本的な構成は、第１の実施形態と同様である。本実施形態では、着崩れ防止布３０の左縁部３１及び右縁部３２が、左右の衿下１３ａに着脱可能に構成されている点が上記第１の実施形態とは異なる。尚、第１の実施形態の和服１０と共通する構成については、特に説明する場合を除き、同一又は対応する符号を付すなどしてその説明を省略する。
【００２９】
図７（ｂ）に示すように、着崩れ防止布３０の左縁部３１及び右縁部３２には、複数の、凸型スナップボタン４５が配設されている。また、左の衿下１３ａ及び右の衿下１３ａの裏側には、着崩れ防止布３０の凸型スナップボタン４５と対応する位置に、複数の、凹型スナップボタン４６が配設されている。着用者は、凸型スナップボタン４５と、凹型スナップボタン４６とを着脱することによって、着崩れ防止布３０の左縁部３１及び右縁部３２を、左右の衿下１３ａに取り付け、又は左右の衿下１３ａから取り外すことができる。
【００３０】
以上説明したとおり、本実施形態に係る和服１０は、着崩れ防止布３０の左縁部３１及び右縁部３２が、左右の衿下１３ａに着脱可能に構成されている。これにより、使用者は、和服１０を、第２の実施形態よりさらに容易に、着衣及び脱衣することができる。
【００３１】
（第４の実施形態）
次に、この発明の第４の実施形態について説明する。本実施形態の和服１０の基本的な構成は、第１の実施形態と同様である。本実施形態では、着崩れ防止布３０が、和服１０の衽１３などを形成する生地よりも伸縮性及び弾力性に富んだ、非伸縮性生地以外の生地から形成されている点が上記第１の実施形態とは異なる。尚、第１の実施形態の和服１０と共通する構成については、特に説明する場合を除き、同一又は対応する符号を付すなどしてその説明を省略する。
【００３２】
本実施形態の着崩れ防止布３０は、上述のとおり、和服１０の衽１３などを形成する生地よりも伸縮性及び弾力性に富んだ生地により形成されている。例えば、着崩れ防止布３０は、ポリウレタン繊維やポリエーテルエステル系繊維等のように、伸縮性のある繊維をそのまま糸として用いた生地から形成されている。
【００３３】
以上説明したとおり、本実施形態に係る和服１０は、着崩れ防止布３０が衽１３などを形成する生地よりも伸縮性・弾力性に富んだ生地から形成されている。これにより、和服１０の着用者は、第１の実施形態よりも、容易に運動をすることができる。
【００３４】
尚、本実施形態では、着崩れ防止布３０は、ポリウレタン繊維やポリエーテルエステル系繊維等のように、伸縮性のある繊維をそのまま糸として用いた生地から形成されていたが、これに限定されるものではない。例えば、着崩れ防止布３０は、ポリウレタン繊維、ポリエーテルエステル系繊維等を芯として、周りに他の繊維を巻き付けた糸（カバード糸又はカバードヤーン）や、紡績工程でポリウレタン繊維、ポリエーテルエステル系繊維等を芯として、他の繊維に巻き付けた糸（コアスパン糸又はコアスパンヤーン）を用いた生地から形成されていてもよい。また、上記の生地以外であっても、伸縮性・弾力性に富んだ、非伸縮性生地以外の生地であればよい。
【００３５】
（第５の実施形態）
次に、この発明の第５の実施形態について説明する。本実施形態の和服１０の基本的な構成は、第１の実施形態と同様である。この実施の形態では、着崩れ防止布３０が、網目状の生地から形成されている点が上記第１の実施形態とは異なる。尚、第１の実施形態の和服１０と共通する構成については、特に説明する場合を除き、同一又は対応する符号を付すなどしてその説明を省略する。
【００３６】
本実施形態の着崩れ防止布３０は、通気のため、網目状の生地から形成されている。例えば、着崩れ防止布３０は、ポリエステルなどから形成され、網目の大きさが２〜４ｍｍ程度の網目状の生地により形成されている。
【００３７】
以上説明したとおり、本実施形態に係る和服１０は、着崩れ防止布３０が網目状の生地から形成されている。これにより、和服１０の外側と内側とを、効率的に通気することができる。
【００３８】
（第６の実施形態）
次に、この発明の第６の実施形態について説明する。
【００３９】
上記のように構成された和服１０は、和服用のハンガーを用いてフックなどに掛けられる。和服用のハンガーには、和服を折り畳んだ状態で掛けることができるものがある。例えば、左袖用ロッドと、左端が左袖用ロッドの右端と紐で接続された和服掛け用ロッドと、左端が和服掛け用ロッドの右端と紐で接続された右袖用ロッドと、を備えたハンガーが知られている。このハンガーは、紐を折り曲げながら１８０度回転させられて和服掛け用ロッドに近接させられた左右の袖用ロッドが、和服掛け用ロッドに係合されることによって、折り畳まれた状態を維持する（例えば、特開２００５−４０５７４号公報）。
【００４０】
しかし、上記のハンガーでは、ロッドを、予め定められた位置でしか、折り曲げることができることができなかった。以下に、ロッドを所望の位置で折り曲げることができるハンガーの好適な実施形態について説明する。
【００４１】
図８及び図９に示すように、ハンガー５０は、円柱状かつ長尺に形成されたロッド６０と、フック７０と、を備える。
【００４２】
ロッド６０は、中央支持ピース６１と、アーム芯６２と、端部支持ピース６３と、アーム芯被覆部材６４と、を備える。
【００４３】
中央支持ピース６１は、円柱状に形成され、その中心軸線がロッド６０の長手方向を向くように配設されている。中央支持ピース６１は、例えば合成樹脂や金属などから形成されている。
【００４４】
中央支持ピース６１の中心軸線に垂直な面には、長手方向がロッド６０の長手方向を向くように、アーム芯６２が接続されている。アーム芯６２は、所定の力で折り曲げることができ、かつ、折り曲げられた形状を維持できる材料、例えば、金属製ワイヤーなどから形成されている。
【００４５】
アーム芯６２の、中央支持ピース６１と接続されている側とは異なる側の端部には、端部支持ピース６３が接続されている。端部支持ピース６３は、円柱状に形成され、その中心軸線がロッド６０の長手方向を向くように配設されている。端部支持ピース６３は、例えば合成樹脂や金属などから形成されている。
【００４６】
中央支持ピース６１と端部支持ピース６３との間には、アーム芯６２を被覆する、アーム芯被覆部材６４が配設されている。図８（ｇ）に示すように、アーム芯被覆部材６４は、円筒状に形成されている。またアーム芯被覆部材６４は、可撓性を有する材質から形成されており、例えば、シリコンゴム、ウレタンから形成されたスポンジ、軟質の塩化ビニルなどから形成されている。
【００４７】
中央支持ピース６１の周側面には、ロッド６０を吊持して洋服掛け等に掛けるフック７０が連結されている。フック７０は、ロッド６０をフック状あるいはポール状の洋服掛け等の掛け治具に掛けるものであって、たとえば合成樹脂や、金属などから形成されている。
【００４８】
ハンガー５０は以上のように形成されているので、使用者は、例えば、図９（ｂ）乃至９（ｄ）に示すように、ロッド６０の所望の位置を、所望の方向に折り曲げることができる。
【００４９】
また、使用者が、和服１０をハンガー５０に掛けた状態で、ロッド６０を図９（ｄ）のように屈曲させると、図９（ｅ）に示すように、和服１０は、袖が畳まれた状態となる。
【００５０】
以上説明したとおり、本実施形態に係るハンガー５０のロッド６０では、中央支持ピース６１と端部支持ピース６３との間であれば、どこでも折り曲げることができる。そのため、和服１０を所望の大きさに畳んで、フックなどに掛けることができる。
【００５１】
以上、本発明の好ましい実施形態について説明したが、本発明は係る特定の実施形態に限定されるものではなく、本発明には、特許請求の範囲に記載された発明とその均等の範囲が含まれる。
【００５２】
例えば、上記の第１の実施形態では、和服１０の全体を木綿等で形成したが、これに限定されるものではない。和服１０の全体又は一部を、例えばポリマー間の架橋反応により構造を安定化させた形状記憶繊維から形成してもよい。
【００５３】
また、上記の実施形態では、和服１０を、浴衣のように単純な構造で形成された和服としたが、これに限定するものではない。本発明は、例えば、訪問着、振袖、喪服など、種々の和服に適用することができる。
【００５４】
また、上記の実施形態では、着崩れ防止布３０を、スライドファスナ４１、４２や、凸型・凹型スナップボタン４５、４６で、左右の衿下に着脱できるように構成したが、これに限定するものではない。例えば、着崩れ防止布３０は面ファスナなどによって、左右の衿下に着脱できるように構成されていてもよい。
【００５５】
また、上記の実施形態では、着崩れ防止布３０の左縁部３１は、左の衿下１３ａの裏側に接続され、右縁部３２は、右の衿下１３ａの裏側に接続されていたが、これに限定されるものではない。着崩れ防止布３０の左縁部３１と右縁部３２のいずれか一方又は双方は、左及び右の前身頃１２の裏側に接続されていてもよい。
【００５６】
また、上記の実施形態では、着崩れ防止布３０を、略長方形に形成したが、これに限定するものではない。例えば、各辺が曲線部を有していてもよい。
【００５７】
また、上記の実施形態では、ハンガー５０のロッド６０は円柱状で形成されていたが、これに限定されるものではない。例えば、ロッド６０は、半円柱状に形成されていてもよい。この場合、和服１０を曲面部分に当接させるため、ロッド６０の曲面が、洋服掛けに掛けたときの上側、すなわちフック７０側になるように、ロッド６０を配設すればよい。
【００５８】
尚、図８（ｂ）は、ハンガー５０の正面図であり、（ｃ）は、その平面図であり、（ｄ）は、その底面図であり、（ｅ）は、その左側面図であり、（ｆ）は、その右側面図である。背面図は正面図と対称に表れるため省略する。
【符号の説明】
【００５９】
１０  和服
１１  袖
１２  前身頃
１３  衽（おくみ）
１３ａ  衿下
１４  後見頃
１５  衿
３０  着崩れ防止布
３１  左縁部
３２  右縁部
４１  スライドファスナ
４２  スライドファスナ
４５  凸型スナップボタン
４６  凹型スナップボタン
５０  ハンガー
６０  ロッド
６１  中央支持ピース
６２  アーム芯
６３  端部支持ピース
６４  アーム芯被覆部材
７０  フック
【図１】
2013231253.tif 000003
【図２】
2013231253.tif 000004
【図３】
2013231253.tif 000005
【図４】
2013231253.tif 000006
【図５】
2013231253.tif 000007
【図６】
2013231253.tif 000008
【図７】
2013231253.tif 000009
【図８】
2013231253.tif 000010
【図９】
2013231253.tif 000011